(57)【要約】【課題】ビーム整形手段を有しながら装置の薄型化、低コスト化を実現することが可能なホログラフィ用光ピックアップ装置を提供する。【解決手段】ホログラフィックメモリ技術を用いたホログラフィ用光ピックアップ装置において、空間光変調素子ＳＬＭ２０４と対物レンズ２１４との間に、レーザ光源２０１からの楕円出射光の短軸を拡大するためのビーム整形プリズム３０１を配置する。そうすることで、空間光変調素子ＳＬＭ２０４に入射する光束径が楕円形状となり小さくなるため、空間光変調素子の小型化、低コスト化を実現できる。【選択図】図１
2007149253.tif 000002
【特許請求の範囲】
【請求項１】
レーザ光源からの出射光を照明することにより空間的に変調した情報光及び記録用参照光を生成する空間光変調素子と、前記空間光変調素子からの情報光と記録用参照光を記録媒体上に集光する対物レンズとを有し、前記情報光と記録用参照光との干渉による干渉パターンによって前記記録媒体上に情報を記録し、或いは再生用参照光を前記記録媒体上に照射し、前記記録媒体からの再生光を光検出器で検出することによって記録情報を再生するホログラフィ用光ピックアップ装置において、前記空間光変調素子と前記対物レンズとの間に、前記レーザ光源からの楕円出射光の短軸を拡大するためのビーム整形手段を配置したことを特徴とするホログラフィ用光ピックアップ装置。
【請求項２】
前記再生光は、前記空間光変調素子と前記対物レンズの間に配置されたビーム分岐手段によって前記光検出器に導かれ、前記ビーム整形手段は、前記ビーム分岐手段と前記対物レンズとの間に配置されていることを特徴とする請求項１に記載のホログラフィ用光ピックアップ装置。
【請求項３】
前記レーザ光源は、前記楕円出射光の短軸側が前記記録媒体面と垂直方向になるように配置されていることを特徴とする請求項１又は２に記載のホログラフィ用光ピックアップ装置。
【請求項４】
前記空間光変調素子の外形は長方形形状であり、且つ、その短辺が前記記録媒体面に垂直に配置されていることを特徴とする請求項１に記載のホログラフィ用光ピックアップ装置。
【請求項５】
前記空間光変調素子の外形は前記レーザ光源の楕円出射光に外接する長方形形状であることを特徴とする請求項４に記載のホログラフィ用光ピックアップ装置。
【請求項６】
前記空間光変調素子は、複数の長方形状の画素から構成されており、前記画素の短辺が前記記録媒体面に垂直であることを特徴とする請求項４又は５に記載のホログラフィ用光ピックアップ装置。
【請求項７】
前記画素の形状は、前記空間光変調素子の外形と相似形状であることを特徴とする請求項６に記載のホログラフィ用光ピックアップ装置。
【請求項８】
前記ビーム整形手段は、ビーム整形ミラーであり、前記対物レンズの光入射側に配置されていることを特徴とする請求項１に記載のホログラフィ用光ピックアップ装置。
【発明の詳細な説明】
【技術分野】
【０００１】
本発明は、ホログラフィク光メモリ方式を用いて記録媒体上に情報を記録又は再生するホログラフィ用光ピックアップ装置に関するものである。
【背景技術】
【０００２】
近年、超高密度光記録のために、ボリュームホログラフィ、特に、デジタルボリュームホログラフィが実用域で開発され注目を集めている。ボリュームホログラフィとは、記録媒体の厚み方向も積極的に活用して、３次元的に干渉パターンを書き込む方式である。
【０００３】
これは、厚みを増すことで回折効率を高め、多重記録を用いて記録容量の増大を図ることができるという特徴がある。そして、デジタルボリュームホログラフィとは、ボリュームホログラフィと同様の記録媒体と記録方式を用いつつも、記録するイメージ情報は２値化したデジタルパターンに限定したホログラフィック記録方式である。
【０００４】
このデジタルボリュームホログラフィは、例えば、アナログ的な絵のような画像情報も、一旦２次元デジタルパターン情報に展開し、これをイメージ情報として記録する。再生時はこのデジタルパターン情報を読み出してデコードすることで元の画像情報に戻して表示する。
【０００５】
そして、デジタルボリュームホログラフィを実現する技術として、照射角度の異なる情報光と参照光を別々に記録媒体に入射し、その干渉パターンを記録する二光束干渉法や、情報光と参照光を同軸で入射するコリニア方式といった方式が提案されている。
【０００６】
また、このような光学系を実現する光源としては半導体レーザを用いることが、コスト、取り扱いの容易さといった観点から望ましい。
【０００７】
しかしながら、半導体レーザの出射光は楕円形状であるため、従来はビーム整形プリズム等のビーム整形手段によって楕円出射光の短軸を拡大することで円形状に整形している。
【０００８】
このようなビーム整形手段を用いた技術が、例えば、国際学会であるISOM／ODS 2005において開示されている。図７はThE3 「Optical Collinear Holographic Recording System Using a Blue Laser and a Random Phase Mask」のFig.1において示されたコリニア方式の光学系を示す（非特許文献１）。
【０００９】
また、図８はThE5 「Temperature Tolerance Improvement with Wavelength Tuning Laser Source in Holographic Data Storage」のFig.2において示された二光束干渉法の光学系を示す（非特許文献２）。図７、図８から光源近傍にビーム整形素子が配置されていることが確認できる（ビーム整形素子は図７、図８のＰｒｉｓｍ）。
【００１０】
次に、図９を用いて従来例のコリニア方式の光学系を詳細に説明する。まず、記録媒体であるホログラム媒体２１６に記録を行う場合について説明する。光源の緑レーザ２０１から出射した光束はコリメータ２０２で平行光束とされ、ビーム整形手段であるビーム整形プリズム３０１に入射することで楕円出射光の短軸側が拡大される。
【００１１】
その後、ミラー２０３で反射され、空間光変調素子ＳＬＭ２０４を照明する。図９では、ＳＬＭ２０４としてＤＭＤ（Deformable Mirror Device）が使用されている。ＳＬＭ２０４上で「１」の情報を表す画素で反射された光は、ホログラム媒体２１６の方向へ反射され、「０」の情報を表す画素で反射された光はホログラム媒体２１６の方向へ反射されない。コリニア方式のＳＬＭ２０４上には、情報光２０６を変調する部分とそれを環状に取り巻く参照光２０５を変調する部分が設けられている。
【００１２】
ＳＬＭ２０４で「１」の情報を表す画素にて反射された参照光２０５と情報光２０６は、偏光ビームスプリッタＰＢＳ２０７をＰ偏光で透過し、リレーレンズ１（２０８）、ミラー２０９、リレーレンズ２（２１０）、ダイクロＢＳ２１１を経由してホログラム媒体２１６に差し向けられる。
【００１３】
また、その際、１／４波長板ＱＷＰ２１２を透過し、円偏光（例えば、右回りの円偏光）に変換された参照光２０５と情報光２０６は、ミラー２１３で反射されて焦点距離Ｆの対物レンズ２１４に入射する。２つのリレーレンズ１（２０８）及び２（２１０）によりＳＬＭ２０４上に表示されたパターンは、対物レンズ２１４からＦだけ手前に中間像を形成する。これにより、ＳＬＭ２１４のパターン像（図示せず）、対物レンズ２１４、ホログラム媒体２１６がいずれもFの距離だけ離れて配置される、所謂４Ｆ光学系が構成される。
【００１４】
ホログラム媒体２１６は、ディスク状であり、スピンドルモータ２１５上に回転可能に保持されている。対物レンズ２１４によって参照光２０５と情報光２０６はホログラム媒体２１６に集光され、干渉して干渉縞を形成する。ホログラム媒体中の高分子材料には、この記録時の干渉縞パターンが屈折率分布として記録され、デジタル体積ホログラムが形成される。また、ホログラム媒体中には反射膜が設けられている。
【００１５】
ホログラムの記録再生を行う緑レーザ２０１以外にホログラム媒体に感光性のない赤レーザ２２０が設けられていて、上記反射膜を基準面としてホログラム媒体２１６の変位を高精度に検出することが可能である。これにより、ホログラム媒体２１６に面ブレや偏芯が発生しても、光サーボ技術を用いてダイナミックに記録スポットを媒体面に追従させることが可能となり、高精度に干渉縞パターンを記録することが出来る。以下に簡単に説明する。
【００１６】
赤レーザ２２０から出射した直線偏光光束はビームスプリッタＢＳ２２１を透過し、レンズ２２２で平行光束とされ、更に、ミラー２２３とダイクロＢＳ２１１で反射されてホログラム媒体２１６に差し向けられる。更に、１／４波長板ＱＷＰ２１２を透過し、円偏光（例えば、右回りの円偏光）に変換された光束は、ミラー２１３で反射されて対物レンズ２１４に入射し、ホログラム媒体２１６上の反射面に微小な光スポットとして集光される。
【００１７】
反射された光束は逆回りの円偏光（例えば、左回りの円偏光）となり、対物レンズ２１４に再入射して平行光束とされ、ミラー２１３で反射されて１／４長板ＱＷＰ２１２を透過し、往路とは垂直な直線偏光光束に変換される。ダイクロＢＳ２１１で反射された光束は、往路と同様にミラー２２３、レンズ２２２を経由し、ビームスプリッタＢＳ２２１で反射されてサーボ用光検出器２２４に導かれる。サーボ用光検出器２２４は、複数の受光面（図示しない）を有しており、公知の方法で反射面の位置情報を検知し、それに基づいて対物レンズ２１４のフォーカス制御とトラッキング制御を行うことが出来る。
【００１８】
次に、上記光学系を用いて記録媒体であるホログラム媒体２１６から記録情報の再生を行う場合の動作について説明する。光源の緑レーザ２０１から出射した光束は記録時と同様に空間光変調素子ＳＬＭ２０４を照明する。再生時は、ＳＬＭ２０４上の参照光２０５を変調する部分のみが「１」の情報を表示し、情報光２０６を変調する部分はすべて「０」の情報を表示する。従って、参照光の部分の画素で反射された光だけが、ホログラム媒体２１６の方向へ反射され、情報光はホログラム媒体２１６の方向へ反射されない。
【００１９】
記録時と同様に参照光２０５は、円偏光（例えば、右回りの円偏光）となってディスク上の記録媒体（図示せず）に集光され、記録された干渉縞から再生光である情報光を再生する。記録媒体中の反射膜で反射された情報光は、逆回りの円偏光（例えば、左回りの円偏光）となり、対物レンズ２１４に再入射して平行光束とされる。更に、ミラー２１３で反射されて１／４波長板ＱＷＰ２１２を透過し、往路とは垂直な直線偏光光束（Ｓ偏光）に変換される。この時、対物レンズ２１４からＦの距離に再生されたＳＬＭ表示パターンの中間像が形成される。
【００２０】
ダイクロＢＳ２１１を透過した光束は、リレーレンズ２（２１０）、ミラー２０９、リレーレンズ１（２０８）を経由して偏光ビームスプリッタＰＢＳ２０７に差し向けられる。ＰＢＳ２０７で反射された光束は、リレーレンズ２（２１０）と１（２０８）により空間光変調素子ＳＬＭ２０４と共役の位置にＳＬＭの表示パターンの中間像として再結像される。
【００２１】
この位置には開口２１７が予め置かれていて、情報光の周辺部にある不要な参照光が遮蔽される。そして、レンズ２１８により再結像された中間像は、光検出器であるＣＭＯＳセンサ２１９上に情報光の部分のみのＳＬＭ表示パターンを形成する。これにより、不要な参照光がＣＭＯＳセンサ２１９に入射しないので、Ｓ／Ｎの良い再生信号が得られる。
【００２２】
次に、図１０を用いて従来例の二光束干渉法の光学系を詳細に説明する。光源の緑レーザ２０１から出射した光束はコリメータ２０２で平行光束とされ、ビーム整形手段であるビーム整形プリズム３０１に入射することで楕円出射光の短軸側が拡大される。その後、ビームスプリッタＢＳ２２７で参照光２０５と情報光２０６の２つに分割される。
【００２３】
その際、参照光２０５は対物レンズ２（２２５）を通ってホログラム媒体２１６に入射し、情報光２０６は空間光変調素子ＳＬＭ２０４に入射する。図１０ではＳＬＭ２０４として複数画素を有する液晶素子が使用されている。情報光２０６は空間光変調素子ＳＬＭ２０４を透過後、ミラー２０３で反射され、対物レンズ１（２１４）を介してホログラム媒体２１６に投射される。その結果、参照光２０５と情報光２０６とが干渉して形成された干渉縞がホログラム媒体２１６に記録される。
【００２４】
ここで、空間光変調素子ＳＬＭ２０４である液晶素子の各画素の透過、遮蔽パターンを設定することで、ホログラム媒体２１６に所望のデータを記録することができる。
【００２５】
データを記録したホログラム媒体２１６に参照光２０５のみを照射すると、参照光２０５がホログラム媒体２１６中の干渉縞によって回折される。その結果、記録時に空間光変調素子ＳＬＭ２０４である液晶素子に表示されたパターンに対応する回折光が発生し、この回折光を対物レンズ３（２２６）で集光し、例えば、ＣＣＤ等の撮像素子２１９で受光することで記録データの再生を行うことが可能となる。
【００２６】
なお、上述のようなホログラフィ技術の文献としては、Proceedings of 35 th Meeting on Lightwave Sensing Technology June 2005 75−82P （ホログラフィックメモリ／ＨＶＤＴＭを支える計測・ナノ制御技術）がある（非特許文献３）。また、日経エレクトロニクス、２００５、１．１７、１０５〜１１４Ｐ（離陸間近のホログラフィック媒体、２００６年に２００Ｇバイトを実現、堀米他）がある（非特許文献４）。
【非特許文献１】ThE3 「Optical Collinear Holographic Recording System Using a Blue Laser and a Random Phase Mask」
【非特許文献２】ThE5 「Temperature Tolerance Improvement with Wavelength Tuning Laser Source in Holographic Data Storage」
【非特許文献３】Proceedings of 35 th Meeting on Lightwave Sensing Technology June 2005 75−82P（ホログラフィックメモリ／ＨＶＤＴＭを支える計測・ナノ制御技術）
【非特許文献４】日経エレクトロニクス、２００５、１．１７、１０５〜１１４Ｐ（離陸間近のホログラフィック媒体、２００６年に２００Ｇバイトを実現、堀米他）
【発明の開示】
【発明が解決しようとする課題】
【００２７】
上記従来技術において、ビーム整形手段は光源と空間変調手段の間に配置されており、空間変調素子に入射する光は、光源より出射された楕円形状の短軸側が拡大された円形状となっている。このため、ビーム整形手段後に配置された空間光変調素子やその他光学部品が、光束径の拡大に伴い大型化する。また、空間変調素子やＣＭＯＳセンサ等は大型化により高コスト化になるという問題も生じてくる。
【００２８】
本発明の目的は、ビーム整形手段を有しながら装置の薄型化、低コスト化を実現することが可能なホログラフィ用光ピックアップ装置を提供することにある。
【課題を解決するための手段】
【００２９】
上記課題を解決するために、本発明は、レーザ光源からの出射光を照明することにより空間的に変調した情報光及び記録用参照光を生成する空間光変調素子と、前記空間光変調素子からの情報光と記録用参照光を記録媒体上に集光する対物レンズとを有し、前記情報光と記録用参照光との干渉による干渉パターンによって前記記録媒体上に情報を記録し、或いは再生用参照光を前記記録媒体上に照射し、前記記録媒体からの再生光を光検出器で検出することによって記録情報を再生するホログラフィ用光ピックアップ装置において、前記空間光変調素子と前記対物レンズとの間に、前記レーザ光源からの楕円出射光の短軸を拡大するためのビーム整形手段を配置したことを特徴とする。
【００３０】
本発明においては、空間光変調素子と対物レンズとの間に、レーザ光源からの楕円出射光の短軸を拡大するためのビーム整形手段を配置する。そうすることで、空間光変調素子に入射する光束径が楕円形状となり小さくなるため、空間光変調素子の小型化、低コスト化を実現できる。また、楕円出射光の短軸側が媒体面と直交する方向に配置することで、長方形形状の空間光変調素子の短辺側を媒体面と直交する方向に配置することが可能となり、レーザ光源からビーム整形手段に入射する間の装置の薄型化も実現できる。
【発明の効果】
【００３１】
本発明によれば、空間光変調素子と対物レンズとの間にレーザ光源からの楕円出射光の短軸を拡大するビーム整形手段を配置することにより、装置の薄型化、低コスト化を実現できるホログラフィ光ピックアップ装置を提供することが可能となる。
【発明を実施するための最良の形態】
【００３２】
次に、発明を実施するための最良の形態について図面を参照して詳細に説明する。
【００３３】
（第１の実施形態）
図１及び図２は本発明に係るホログラフィ用光ピックアップ装置の第１の実施形態を示す図である。図１はその光ピックアップ装置における光学系の展開図、図２は図１の光学系を実際の光ピックアップ装置として配置した場合の斜視図を示す。
【００３４】
図１、図２の基本的な構成は図９に示す従来例の光学系と同一である。そのため、図１と図２では図９と同一部分には同一符号を付して詳しい説明は省略する。なお、図２においては後述するディスク状のホログラム媒体２１６と従来例に示す赤レーザを用いた光サーボ技術を行うための光学部品は省略している。また、図１は本発明の特徴となる楕円出射光の短軸側に着目して示す展開図である。このため、図１と図２においては各光学素子の光軸に対する方位角が異なって配置されている。
【００３５】
本実施形態では、ビーム整形プリズム３０１は、空間光変調素子ＳＬＭ２０４と再生光である情報光２０６をＣＭＯＳセンサ２１９に導くＰＢＳ２０７との間に配置されている。また、光源である緑レーザ２０１は楕円出射光の短軸側が、ディスク状のホログラム媒体２１６のディスク面と直交する方向（図２中の矢印Ａ方向）となるように配置されている。
【００３６】
また、図３に示す通り、長方形形状の外形を有する空間光変調素子ＳＬＭ２０４は、長方形形状の画素を格子状に配列することで構成されており、画素及び空間光変調素子ＳＬＭ２０４の短辺側（矢印Ｂ方向）が、ディスク面と直交する方向に配置されている。空間光変調素子ＳＬＭ２０４の外形は、光源の楕円出射光に略外接する形状とし、画素の外形形状は空間光変調素子ＳＬＭ２０４と相似の形状としている。
【００３７】
本実施形態においては、光源の緑レーザ２０１から出射した楕円出射光である光束はコリメータ２０２で平行光束とされ、ミラー２０３を経由して空間光変調素子ＳＬＭ２０４を照明する。その後、記録時においてはＳＬＭ２０４で「１」の情報を表す画素にて反射された参照光２０５と情報光２０６が、再生時においては参照光２０５のみが、ビーム整形手段であるビーム整形プリズム３０１に入射する。こうして楕円出射光の短軸側が拡大され、偏光ビームスプリッタＰＢＳ２０７をＰ偏光で透過し、リレーレンズ１（２０８）に入射する。なお、リレーレンズ１（２０８）以降の光学系、サーボ方式等は図９と同一である。
【００３８】
このように構成することで、図９と比較して、空間光変調素子ＳＬＭ２０４に入射する光束径が楕円形状となり小さくなるため、空間光変調素子ＳＬＭ２０４の小型化、低コスト化を実現することができる。また、楕円出射光の短軸側が、ディスク面と直交する方向に配置されているため、長方形形状の空間光変調素子ＳＬＭ２０４の短辺側をディスク面と直交する方向に配置することが可能となる。このため、図２に示すように、少なくとも緑レーザ２０１からビーム整形プリズム３０１に入射する間の装置の薄型化も実現可能である。
【００３９】
更に、空間光変調素子ＳＬＭ２０４の画素の形状を、空間光変調素子ＳＬＭ２０４の外形形状と相似形状とすることで、ビーム整形プリズム３０１透過後の各画素による反射光の光束径各々を、従来例と同一にすることが可能となる、このため、従来例による装置と、本発明による装置各々の記録情報の互換性を確保することが可能となる。
【００４０】
（第２の実施形態）
図４は本発明の第２の実施形態を示す図である。図４は本実施形態のホログラフィ用光ピックアップ装置における光学系の展開図であり、基本的な構成は図１、図２と同一である。そのため、図４では図１、図２と同一部分には同一符号を付して説明は省略する。
【００４１】
本実施形態においては、ビーム整形プリズム３０１は、空間光変調素子ＳＬＭ２０４後の、再生光である情報光２０６をＣＭＯＳセンサ２１９に導くＰＢＳ２０７と、リレーレンズ１（２０８）との間に配置されている。
【００４２】
次に、本実施形態の特徴となる部分について説明する。再生時において、ディスク状のホログラム媒体２１６より再生された情報光２０６と参照光２０５は、往路とは逆回りの円偏光（例えば、左回りの円偏光）となる。
【００４３】
そして、対物レンズ２１４に再入射して平行光束とされ、ミラー２１３で反射されて１／４波長板ＱＷＰ２１２を透過し、往路とは垂直な直線偏光光束（Ｓ偏光）に変換される。この時、対物レンズ２１４からＦの距離に再生されたＳＬＭ表示パターンの中間像が形成される。
【００４４】
ダイクロＢＳ２１１を透過した光束は、リレーレンズ２（２１０）、ミラー２０９、リレーレンズ１（２０８）を経由して再度ビーム整形プリズム３０１に入射する。これにより、往路とは逆に光束は一軸方向が縮小されることで楕円形状になり、偏光ビームスプリッタＰＢＳ２０７に差し向けられる。その後、ＰＢＳ２０７で反射された光束は、リレーレンズ２（２１０）と１（２０８）により空間光変調素子ＳＬＭ２０４と共役の位置にＳＬＭの表示パターンの中間像として再結像される。
【００４５】
この位置には開口２１７が予め置かれていて、情報光の周辺部にある不要な参照光が遮蔽される。そして、レンズ２１８により再結像された中間像は、光検出器であるＣＭＯＳセンサ２１９上に情報光の部分のみのＳＬＭ表示パターンを形成する。
【００４６】
このように構成することで、第１の実施形態の効果のみならず、ＰＢＳ２０７、開口２１７、ＣＭＯＳセンサ２１９各々の小型化、薄型化を実現することが可能となる。特に、ＣＭＯＳセンサ２１９は高コストとなる光学素子であるため、小型化によるコスト低下のメリットは大きい。
【００４７】
（第３の実施形態）
図５は本発明の第３の実施形態を示す図である。図５は本実施形態の光ピックアップ装置における光学系の展開図であり、基本的な構成は第１の実施形態の光学系と同一である。そのため、図５では図１、図２と同一部分には同一符号を付して説明を省略する。
【００４８】
本実施形態で、ビーム整形手段として、ビーム整形ミラー３０２を用いており、対物レンズ２１４とＱＷＰ２１２の間に配置されている。このため、一般的に半導体レーザが用いられる光サーボ用の赤レーザ２２０の出射光にもビーム整形を行うことが可能となり、サーボ用の赤レーザ光の品位の改善も実施可能である。よって、本実施形態おいては、赤レーザ２２０の楕円出射光の短軸側をビーム整形ミラー３０２によって拡大するように配置することが望ましい。
【００４９】
また、このように構成することで、従来のミラー２１３を廃止することが可能となるため、その分、装置の低コスト化を実現できる。更に、第２の実施形態と比較して、リレーレンズ１（２０８）からＱＷＰ２１２に至る全ての光学素子の小型化が実現できるため、より装置の小型化、薄型化、低コスト化も併せて実現可能である。
【００５０】
なお、本実施形態では、ビーム整形手段としてビーム整形ミラー３０２を用いたが、本発明はこれに限ることなく、例えば、反射型の回折格子を用いても同様の効果を得ることが可能である。
【００５１】
（第４の実施形態）
図６は本発明の第４の実施形態を示す図である。なお、図６は本実施形態の光ピックアップにおける光学系の展開図であり、基本的な構成は図１０に示す従来例の光学系と同一である。そのため、図６では図１０と同一部分には同一符号を付して説明を省略する。
【００５２】
本実施形態においては、ビーム整形プリズム３０１は、空間光変調素子ＳＬＭ２０４である液晶素子とミラー２０３との間に配置されている。このように配置することで、図１０と比較して、コリメータ２０２から空間光変調素子ＳＬＭ２０４までの光学系に加え、参照光２０５のホログラム媒体２１６への集光用である対物レンズ２（２２５）までの有効光束が小さくなり、低コスト化を実現することができる。
【００５３】
また、第１の実施形態と同様に楕円出射光の短軸側を、記録媒体面と直交する方向に配置することで、長方形形状の空間光変調素子ＳＬＭ２０４の短辺側を媒体面と直交する方向に配置することが可能となる。このため、装置全体の薄型化も実現可能である。更に、ビーム整形プリズム３０１を対物レンズ２１４とミラー２０３との間に配置することで、ミラー２０３の小型化、低コスト化も実現可能である。
【００５４】
なお、本発明は上記実施形態のみに限定され得るものでは無い。例えば、ホログラフィ用光源として緑レーザではなく、近年実用化されてきた青紫半導体レーザを用いることも可能である。また、ホログラム媒体としてディスク状の媒体のみならず、カード状の媒体等を用いることも無論可能である。
【図面の簡単な説明】
【００５５】
【図１】本発明の第１の実施形態によるホログラフィ用光ピックアップ装置の光学系を示す展開図である。
【図２】図１の光ピックアップ装置の光学系を実際に配置した場合の斜視図である。
【図３】図１の空間光変調素子を示す図である。
【図４】本発明の第２の実施形態を示す図である。
【図５】本発明の第３の実施形態を示す図である。
【図６】本発明の第４の実施形態を示す図である。
【図７】従来のコリニア方式の光学系を示す図である。
【図８】従来の二光束干渉方法の光学系を示す図である。
【図９】従来のコリニア方式の光ピックアップ装置の光学系を示す展開図である。
【図１０】従来の二光束干渉法の光ピックアップ装置の光学系を示す展開図である。
【符号の説明】
【００５６】
２０１  緑レーザ
２０２  コリメータ
２０３  ミラー
２０４  空間光変調素子（ＳＬＭ）
２０５  参照光
２０６  情報光
２０７  ＰＢＳ
２０８  リレーレンズ１
２０９  ミラー
２１０  リレーレンズ２
２１１  ダイクロＢＳ
２１２  ＱＷＰ
２１３  ミラー
２１４  対物レンズ
２１５  スピンドルモータ
２１６  ホログラム媒体
２１７  開口
２１８  レンズ
２１９  ＣＭＯＳセンサ
２２０  赤レーザ
２２１  ＢＳ
２２２  レンズ
２２３  ミラー
２２４  サーボ用光検出器
２２５  対物レンズ２
２２６  対物レンズ３
２２７  ＢＳ
３０１  ビーム整形プリズム
３０２  ビーム整形ミラー
【図１】
2007149253.tif 000003
【図２】
2007149253.tif 000004
【図３】
2007149253.tif 000005
【図４】
2007149253.tif 000006
【図５】
2007149253.tif 000007
【図６】
2007149253.tif 000008
【図７】
2007149253.tif 000009
【図８】
2007149253.tif 000010
【図９】
2007149253.tif 000011
【図１０】
2007149253.tif 000012